(57)【要約】  本発明の小型携帯式多機能輸液装置は、スタンド（１）と、スタンド（１）に固定された液体ボトル（４）及びダイヤフラム（１６）とを備えている。ダイヤフラム（１６）には、輸液チューブを介して、それぞれ液体ボトル（４）及び注射針（２０）と連通する定方向流入インタフェース及び定方向流出インタフェースが設けられている。ダイヤフラム（１６）には、弾性膜（２７）が取り付けられている。弾性膜（２７）の片側には、周波数変調システム（２８）と接続された小型直流モータ（３２）を含む伝達システム（３１）が配置されている。小型直流モータ（３２）は、減速装置（３３）を介してスパイラル矯正装置（３４）と接続されている。スパイラル矯正装置（３４）は、２段軸（４３）を経て往復膜支持機（３６）と接続されている。往復膜支持機（３６）の前端部の円錐台（３９）は、弾性膜（２７）と接触している。
2016514580.tif 000002
【特許請求の範囲】
【請求項１】
スタンド（１）と、
前記スタンド（１）に固定された液体ボトル（４）及びダイヤフラム（１６）とを備え、
前記ダイヤフラム（１６）に、輸液チューブを介してそれぞれ前記液体ボトル（４）及び注射針（２０）と連通する定方向流入インタフェース（１７）及び定方向流出インタフェース（１４）が設けられており、
前記ダイヤフラム（１６）に、弾性膜（２７）が取り付けられ、
前記弾性膜（２７）の片側に、周波数変調システム（２８）と接続された小型直流モータ（３２）を含む伝達システム（３１）が配置され、
前記小型直流モータ（３２）は、減速装置（３３）を介してスパイラル矯正装置（３４）と接続され、
前記スパイラル矯正装置（３４）は、２段軸（４３）を経て往復膜支持機（３６）と接続され、
前記往復膜支持機（３６）の前端部の円錐台（３９）は、前記弾性膜（２７）と接触し、
前記周波数変調システム（２８）は、前記小型直流モータ（３２）と接続された小型直流電源（３０）を含み、
前記小型直流電源（３０）は、電位センサ（２９）を介して前記小型直流モータ（３２）を制御する制御器（１１）とさらに接続され、
前記制御器（１１）に、前記制御器のパラメータ入力キーボード（１２）がさらに接続されていることを特徴とする小型携帯式多機能輸液装置。
【請求項２】
前記往復膜支持機（３６）は、後方から前方に順次配置された、長尺扁平体（３７）、ルート調整機構（４０）、台形移行部（３８）及び円錐台（３９）を含み、
前記ルート調整機構（４０）は、スライドカバー（４５）内に取り付けられており、
前記台形移行部（３８）に、板状ばね（４４）が取り付けられていることを特徴とする請求項１に記載の小型携帯式多機能輸液装置。
【請求項３】
前記長尺扁平体（３７）の外側に、前記制御器（１１）と接続された距離センサ（３５）がさらに取り付けられていることを特徴とする請求項２に記載の小型携帯式多機能輸液装置。
【請求項４】
前記長尺扁平体（３７）の後端に、ダイヤフラム内の液体の流速を調節する回転ハンドル（１０）がさらに取り付けられ、
ハンドル（１０）に、速度選択ポインタ（８）及び前記速度選択ポインタ（８）に対応する輸液速度文字盤（９）が取り付けられていることを特徴とする請求項２に記載の小型携帯式多機能輸液装置。
【請求項５】
前記ダイヤフラム（１６）に、流量表示窓（７）がさらに取り付けられていることを特徴とする請求項１に記載の小型携帯式多機能輸液装置。
【請求項６】
前記ダイヤフラム（１６）と前記注射針（２０）との間の前記輸液チューブに、仏塔型ヒータ（２５）を含む薬液加熱制御システム（２２）がさらに配置されており、
前記仏塔型ヒータ（２５）に、前記輸液チューブが巻きつき、加熱電源（２４）が接続されており、
前記仏塔型ヒータ（２５）の末端に、温度センサ（２６）が取り付けられており、
前記仏塔型ヒータ（２５）及び前記温度センサ（２６）は、それぞれ温度コントローラ（２３）と接続され、
前記注射針（２０）の先端の前記輸液チューブに、薬液精密濾過器（２１）が配置されていることを特徴とする請求項１に記載の小型携帯式多機能輸液装置。
【請求項７】
前記スタンド（１）は、前記液体ボトル（４）を取り付けるためのボトルスタンド（４６）、及び、前記ダイヤフラム（１６）を取り付けるための三日月構造スタンド（１３）を含み、
前記ボトルスタンド（４６）に、前記液体ボトル（４）を固定するための結びバンド（３）、嵌合部（５）及び調節ホルダ（６）が配置され、
前記三日月構造スタンド（１３）に、ダンパ（２）が取り付けられており、
前記スタンド（１）に、装着穴（１８）がさらに設けられていることを特徴とする請求項１に記載の小型携帯式多機能輸液装置。
【請求項８】
前記ダイヤフラム（１６）に、クイックチャック（４１）がさらに取り付けられていることを特徴とする請求項１に記載の小型携帯式多機能輸液装置。
【請求項９】
前記定方向流出インタフェース（１４）に、気体識別器（１５）がさらに取り付けられていることを特徴とする請求項１に記載の小型携帯式多機能輸液装置。
【請求項１０】
前記制御器（１１）に、前記液体ボトル（４）の重量センサと接続された音・光警報表示窓（４２）及びトランスミッタ（１９）が取り付けられていることを特徴とする請求項１に記載の小型携帯式多機能輸液装置。
【発明の詳細な説明】
【技術分野】
【０００１】
本発明は、医療機器分野に関し、特に小型携帯式多機能輸液装置に関する。
【背景技術】
【０００２】
現在、国内外の各医療機関の臨床治療において、点滴静脈注射が最も一般的且つ普及している治療方法であり、調査によれば９０％の患者が点滴静脈注射治療を受けている。ほぼ１００％の外科の入院患者が点滴静脈注射を受ける必要があり、また、関係部門の統計によれば、中国は１３億の人口を有し、１人当たりの１年間に点滴する液体ボトルの平均数は８本に達し、輸液量は１０４億液体ボトル分にも及ぶ。科学技術が進歩し、医学分野が急速な発展を遂げる今日、百年以上前の「マーフィー氏」が発明した固定ハンガーが、従来の輸液方法としていまだ使用されている。即ち、液体ボトル（バッグ）が患者の穿刺部位より一定の高い位置に懸架されなければならない。
【０００３】
この従来の輸液方法は、主に輸液によるパワーの制限を受けるため、固定ハンガーの補助が必要であり、実際の使用において、以下の複数の欠点がある。１）患者の体位が相対的に固定されるため、動きが大きく制限される。医療機関では、患者自身が液体ボトルを挙げ、又は患者が家族の付き添いで液体ボトルを挙げながら、各検査を受けるために階段を上下すること、ひいてはトイレへ行くことさえ見かけることができる。２）負傷者の搬送が困難である。病院以外の場所（例えば、戦場及び野外の現場救助、又は患者を搬送する途中（救急車））において、液体ボトルを回転させる十分なスペースがないため、走行中に液体ボトルの振り幅が大きく、不安全だけでなく、輸液を有効に行うこともできない。また、戦場最前線の負傷者を搬送する際に、輸液スタント及び液体の揺れによって居場所が知られてしまい、隠ぺい性が劣る。３）輸液速度を精確に制御することができない。深刻な出血及び脱水症状等のハイリスク患者を救助する際には、規定時間内で所定量の輸液を精確に行うことが不可能である。
【０００４】
上述した従来の方法以外に、気圧式自動輸液装置、ポンプ式自動輸液装置、ワンチップマイクロコンピュータ制御の携帯式医療用自動輸液装置などが近年登場した。
【０００５】
気圧式自動輸液装置において、エアーパイプの一端は、エアーポンプと接続され、空気ポンプによって、空気が空気濾過器を介して液体ボトル内に伝送され、液体ボトル内の圧力が増加することで、自動輸液の目的を達成する。しかし、液体を懸架するための輸液スタントがまだ必要であり、電源及びエアーポンプを余分に追加しなければならないという欠点があり、全体的には従来の方法と比べ、明らかな優位性を見出せない。
【０００６】
ポンプ式自動輸液装置及びワンチップマイクロコンピュータ制御の携帯式医療用自動輸液装置の主な構造として、液体バッグ、ポンプ室、パイプライン及び注射針が接続されることによって独特な配管システムが形成される。押しレバーが集積回路の制御によってポンプ室を圧迫し、パイプラインの外部制御によって自動輸液が実現される。このように各薬液が定時定量に静脈注入され、輸液の際に懸架することなく、患者は自由に動くことができる。しかし、輸液ポンプの体積が大きく、電源の駆動が必要であり、技術要求が高いという欠点があるため、各レベルの医療機関に幅広く使用されることが困難である。
【０００７】
自動膨張袋式輸液装置は、エアバッグ、２つの独立したチャンバ、液体充填パイプ及び空気充填パイプを備えている。２つのチャンバの間は、フレキシブルスペーサ層によって分離され、空気充填パイプは、１つのチャンバと連通し、液体充填パイプはもう１つのチャンバと連通している。１つのエアバッグを利用して気体を手で輸液バッグの内バッグと
外バッグとの間に押し込み、内バッグ内の液体に圧力を発生させ、圧力を介して液体を患者の体内に注入する。流量制御が可能であり、使いやすく、持ち運びが容易（腰に掛けることができる）であり、血液の逆流が生じないなどの利点がある。当該自動膨張袋式輸液装置の原理は、臨床常用の加圧輸血の原理とほぼ同様であり、その欠点としては、空気充填を人工的に行い続けなければならない。さもなければ、液体が血液の抵抗を克服して血管内に入ることができず、通常の輸液管理の負担が増加し、臨床に幅広く使用されることが困難になる。
【発明の概要】
【発明が解決しようとする課題】
【０００８】
本発明の目的は、従来の輸液パワーを改変し、液体ボトルを患部より高い位置に固定する必要がなく、液体ボトルを任意の位置に置いて輸液を行うこと、及び、輸液の速度を精確に調節・制御することができる小型携帯式多機能輸液装置を提供することである。
【課題を解決するための手段】
【０００９】
上記の目的を達成するために、本発明に係る小型携帯式多機能輸液装置は、スタンドと、前記スタンドに固定された液体ボトル及びダイヤフラムとを備えている。前記ダイヤフラムには、輸液チューブを介して、それぞれ前記液体ボトル及び注射針と連通する定方向流入インタフェース及び定方向流出インタフェースが設けられている。前記ダイヤフラムには、弾性膜が取り付けられている。前記弾性膜の片側には、周波数変調システムと接続された小型直流モータを含む伝達システムが配置されている。前記小型直流モータは、減速装置を介してスパイラル矯正装置と接続されている。前記スパイラル矯正装置は、２段軸を経て往復膜支持機と接続されている。前記往復膜支持機の前端部の円錐台は、前記弾性膜と接触している。前記周波数変調システムは、前記小型直流モータと接続された小型直流電源を含む。前記小型直流電源は、電位センサを介して小前記型直流モータを制御する制御器とさらに接続されている。前記制御器には、前記制御器のパラメータ入力キーボードがさらに接続されている。
【００１０】
前記往復膜支持機は、後方から前方に順次配置された、長尺扁平体、ルート調整機構、台形移行部及び円錐台を含む。前記ルート調整機構は、スライドカバー内に取り付けられている。前記台形移行部には、板状ばねが取り付けられている。
【００１１】
前記長尺扁平体の外側には、前記制御器と接続された距離センサが取り付けられている。
【００１２】
前記長尺扁平体の後端には、前記ダイヤフラム内の液体の流速を調節する回転ハンドルがさらに取り付けられている。前記回転ハンドルには、速度選択ポインタ及び当該速度選択ポインタに対応する輸液速度文字盤が取り付けられている。
【００１３】
前記ダイヤフラムには、流量表示窓がさらに取り付けられている。
【００１４】
前記ダイヤフラムと注射針との間の輸液チューブには、仏塔型ヒータを含む薬液加熱制御システムがさらに配置されている。前記仏塔型ヒータには、前記輸液チューブが巻きつき、且つ、加熱電源が接続されている。前記仏塔型ヒータの末端には、温度センサが取り付けられている。前記仏塔型ヒータ及び前記温度センサは、それぞれ温度コントローラと接続されている。前記注射針の先端の前記輸液チューブには、薬液精密濾過器が配置されている。
【００１５】
前記スタンドは、前記液体ボトルを取り付けるためのボトルスタンド、及び、前記ダイヤフラムを取り付けるための三日月構造スタンドを含む。前記ボトルスタンドには、前記
液体ボトルを固定するための結びバンド、嵌合部及び調節ホルダが配置されている。前記三日月構造スタンドには、ダンパが取り付けられている。前記スタンドには、装着穴がさらに設けられている。
【００１６】
前記ダイヤフラムには、クイックチャックがさらに取り付けられている。
【００１７】
前記定方向流出インタフェースには、気体識別器がさらに取り付けられている。
【００１８】
前記制御器には、前記液体ボトルの重量センサと接続された音・光警報表示窓及びトランスミッタが取り付けられている。
【発明の効果】
【００１９】
本発明は、小型直流モータを介して、往復膜支持機が運動するように伝達システムを駆動することによって、電気エネルギーから機械エネルギーへの変換が実現され、さらに、往復膜支持機によってダイヤフラムが圧縮されることで液体の注入が実現され、且つ、円錐台と弾性膜との接触体積を制御することによって、輸液速度の精確な調節・制御が実現される。
【図面の簡単な説明】
【００２０】
【図１】本発明に係る小型携帯式多機能輸液装置の正面図である。
【図２】本発明に係る小型携帯式多機能輸液装置の背面図である。
【図３】本発明に係る小型携帯式多機能輸液装置の全体の構成概略図である。
【図４】本発明に係る伝達システムの構成概略図である。
【図５】本発明に係る往復膜支持機の振幅と流速との関係図である。
【図６】本発明に係る往復膜支持機の周波数と流速との関係図である。
【発明を実施するための形態】
【００２１】
以下、図面と合わせて本発明について詳細に説明する。
【００２２】
図１〜図４に示すように、本発明は、スタンド１と、スタンド１に固定された液体ボトル４と、流量表示窓７が取り付けられたダイヤフラム１６とを備えている。スタンド１は、液体ボトル４を取り付けるためのボトルスタンド４６、及び、ダイヤフラム１６を取り付けるための三日月構造スタンド１３を含む。ボトルスタンド４６には、液体ボトル４を固定するための結びバンド３、嵌合部５及び調節ホルダ６が配置されている。三日月構造スタンド１３には、ダンパ２が取り付けられている。スタンド１には、装着穴１８がさらに設けられている。ダイヤフラム１６には、輸液チューブを介して、それぞれ液体ボトル４及び注射針２０と連通する定方向流入インタフェース１７及び気体識別器１５付きの定方向流出インタフェース１４が設けられている。ダイヤフラム１６には、クイックチャック４１及び弾性膜２７が取り付けられている。弾性膜２７の片側には、周波数変調システム２８と接続された小型直流モータ３２を含む伝達システム３１が配置されている。小型直流モータ３２は、減速装置３３を介してスパイラル矯正装置３４と接続されている。スパイラル矯正装置３４は、２段軸４３を経て往復膜支持機３６と接続されている。往復膜支持機３６の前端部の円錐台３９は、弾性膜２７と接触している。周波数変調システム２８は、小型直流モータ３２と接続された小型直流電源３０を含む。小型直流電源３０は、電位センサ２９を介して小型直流モータ３２を制御する制御器１１とさらに接続されている。制御器１１には、制御器パラメータ入力キーボード１２がさらに接続されている。制御器１１には、液体ボトル４の重量センサと接続された音・光警報表示窓４２及びトランスミッタ１９がさらに取り付けられている。液体ボトル４内の薬液の重量が設定値より低い場合、信号が薬液の重量センサによって制御器１１に伝送され、音・光警報表示窓４２によって警報及び表示され、同時に、医療従事者に注意喚起をするために当該信号がトラ
ンスミッタ１９を介してナースステーションに伝送される。ダイヤフラム１６と注射針２０との間の輸液チューブには、仏塔型ヒータ２５を含む薬液加熱制御システム２２がさらに配置されている。仏塔型ヒータ２５には、輸液チューブが巻きつき、加熱電源２４が接続されている。仏塔型ヒータ２５の末端には、温度センサ２６が取り付けられている。仏塔型ヒータ２５及び温度センサ２６は、それぞれ温度コントローラ２３と接続されている。注射針２０の先端の輸液チューブには、薬液精密濾過器２１が配置されている。
【００２３】
往復膜支持機３６は、後方から前方に順次配置された、長尺扁平体３７、ルート調整機構４０、台形移行部３８及び円錐台３９を含む。ルート調整機構４０は、スライドカバー４５内に取り付けられている。台形移行部３８には、板状ばね４４が取り付けられている。長尺扁平体３７の外側には、制御器１１と接続された距離センサ３５が取り付けられている。長尺扁平体３７の後端には、ダイヤフラム１６内の液体の流速を調節する回転ハンドル１０がさらに取り付けられている。回転ハンドル１０には、速度選択ポインタ８及び当該速度選択ポインタ８に対応する輸液速度文字盤９が取り付けられている。
【００２４】
本発明は、以下の主な部分から構成されている。
【００２５】
１、伝達システム、２、ダイヤフラム、３、輸液速度調節・制御装置、制御器、遠隔リアルタイム表示、音・光警報装置及び小型輸液用薬液定温制御装置を含む小型補助機能システム
【００２６】
伝達システムによって、電気エネルギー（小型充電式高エネルギー電池）が小型直流モータを介して減速装置を回転運動させ、スパイラル矯正ホイールを経て往復運動パワーに転換し、そして往復運動パワーが２段軸を介してルート調整機構に伝送され、それによってルート調整機構が往復運動してパワーを生成する。スライドカバー４５内には、台形双頭ネジ山が設計されている。当該台形双頭ネジ山は、スライドカバー４５内の調節ロッドネジ山と噛み合い、往復運動してパワーを生成する複合体を構成する。
【００２７】
往復膜支持機３６は、調節機能を実現する中心部品である。当該部品の前端には、円錐台３９の接触ヘッドが設けられている。接触ヘッドの前部に台形双頭ネジ山が設けられ、後部に長尺扁平体３７が設けられている。長尺扁平体３７には、ハード接続されたポテンショメータ部品がセットされている。長尺扁平体の末端には、ハード接続された、ポインタ付きの回転ハンドル１０がセットされている。回転ハンドル１０のポインタが、筐体に固定された目盛円盤（目盛０〜３００°）に対応している。往復膜支持機３６の円錐台３９の接触ヘッドを介して、ダイヤフラム１６の弾性膜２７を押し動かし、輸液パワーを生成する。往復膜支持機３６の台形双頭ネジ山を介して、振幅変調目標を達成するようにルート距離を調節する。往復膜支持機３６のポテンショメータが、振幅変調信号の収集目標を達成する。調節ロッドのポインタ付きの回転ハンドル１０及び目盛円盤によって、流量注入機構が構成されている。
【００２８】
本発明によって、電気エネルギー→機械エネルギー→輸液パワーの転換プロセス、エネルギーの機構伝達プロセス及び機構調整プロセスにおけるハードウェアプログラムのメカニズムが実現される。その主な機能・作用は下記通りである。回転ハンドル１０のポインタが０°の位置を指す際に、往復膜支持機３６の円錐台３９と弾性膜２７とは０°の距離で接触している。回転ハンドル１０のポインタが３０°の位置に調整された際に、往復膜支持機３６の台形双頭ネジ山が回転しながら前進し、円錐台３９の接触ヘッドによってダイヤフラム１６の弾性膜２７が押し付けられて、６×３０／３６０°ｍｍの高さの円弧が形成され、同時に往復膜支持機３６の長尺扁平体３７にセットされた小型ポテンショメータも３０°回転し、対応する電位差信号を発信する。
【００２９】
回転ハンドル１０のポインタが１２０°の位置に調整された際に、調節ロッドの台形双頭ネジ山が回転しながらさらに前進し、円錐台３９の接触ヘッドによってダイヤフラム１６の弾性膜２７が押し動かされて、６×１２０／３６０°ｍｍの高さの円弧が形成され、同時に長尺扁平体３７にセットされたポテンショメータも１２０°回転し、対応する電位差信号を発信する。以下のことが推察される。
【００３０】
トリガの振幅を介した輸液の速度調節：調節ロッドのルートが調整される。即ち、接触ヘッドが弾性膜２７に挿入されて形成した円弧の高さが調整される。弾性膜２７の円弧の高さは、振幅及び輸液量がｙ＝ａｘ２の関係である。
【００３１】
【数１】
2016514580.tif 000003
【００３２】
Ｒは円錐台３９の上円の半径、Ｒｎは円錐台３９の下円の半径、Ｈは円弧の高さである。Ｒｎ＝１．３５＋０．３９１Ｈであり、単位はｍｍである。Ｑｎは流量（ｍｌ／分）であり、７５回／分は定格周波数である。以上のエネルギー転換、エネルギーの機械伝達及び振幅の調整プロセスが、図５に示されている。
【００３３】
トリガの周波数を介した輸液の速度調節：図６を参照のこと。
【００３４】
周波数変調システムの配置による周波数変調プロセスの実現：周波数の変調は、マイクロモータの電源供給回路における電位センサに直列接続することによって実現される。マイクロモータが運転してパワーを生成する際に、その供給電圧を変化させると、モータの出力パワーもそれによって変化し、モータの回転数が対応するように変化する。即ち、回転速度が調整される。スパイラル矯正装置を介して往復運動の周波数が変更（７５回／分←→０回／分）される。即ち、往復パルスの時間が変更され、パルスパワーの釈放時間が変更される。これにより、輸液プロセスにおける注入力が、注射する際に注射針をゆっくり押す作用に相当するように、変化する。
【００３５】
モータ負荷（注入抵抗に打ち勝つ。）が安定した状態となり、輸液の速度も安定する。ポテンショメータのモータ回転速度の調節は、有効な調節範囲を有し、この範囲の大きさによって輸液の精度が決められる。例えば、２５°〜３２５°の範囲であると、調整される精度は：１°を調整されるごとに選択された５ｍｌ／分の流量の精度は、５ｍｌ／分×１／３００＝０．０１６６ｍｌである。即ち、０．３３％である。それによって、輸液速度に対する精確な制御が実現される。流量と周波数との変化関係は、ｙ＝ａｘの関係（つまり、Ｑ＝ＱＨ１×ＨＺ、及び、下記数式）で表される。ここで、ＨＺは選択された周波数（回／分）、ＱＨ１は輸液速度（ｍｌ／分）、ＱＨは固有流量、ＨＺは選択された周波数（回／分）、ＱＨ１は輸液速度（ｍｌ／分）、ＱＨは固有流量である。
【数２】
2016514580.tif 000004
【００３６】
小型エネルギー転換システム（ホスト機）は、以下の設計手段のガイダンス構想である。
【００３７】
１）「液滴」の輸液技術
当該技術は、液滴に焦点を当てる微視的理論である。各液滴は約０．１５ｍｌである。０．１５ｍｌの液滴を約２ｍの高さ（揚力）まで注入させるに必要なパワーは、比較的小さく、そのエネルギーの消耗も小さいはずであり、輸液パワーとしてミリワットレベルの小型モータを採用すればよいはずである。実験はシミュレーションを経て成功を収め、設計手段に基礎を築いた。図３には、３５０ミリワットの小型モータが示されている。
【００３８】
２）スパイラル矯正ホイールの転換技術
図からわかるように、スパイラル矯正ホイールの傾斜軌道溝が、往復直線運動するパワーに転換し、２段軸を介してパワーを輸液調節ロッドに伝達して、液滴を注入するパワーの生成が完成する。スパイラル矯正ホイールは、パワー転換の重要な部品であり、機械式伝動機構の全体が小型化を実現することを可能にさせ、成功を収めた。
【００３９】
３）高効率技術及び省エネ技術
図３からわかるように、スパイラル矯正ホイールの傾斜軌道溝には、Φ１．５×２ｍｍのボールベアリングが挿入されている。２段軸のガイド孔には、Φ６×４ｍｍのボールベアリングが取り付けられている。これらによって、モータの出力パワーが２つの小型ベアリングを介して振幅調整機構に伝達される。調整カバーと固定スライドバレルとの中心からの逸脱度は、１０〜２０ｕμの範囲内に制御される。調整カバーと固定スライドバレルとの隙間は、０．０５ｍｍ〜０．１ｍｍに制御される。潤滑するために精細な二硫化モリブデンを採用する。転換及びパワー転換における無駄なパワーの消耗を低いレベルまで下げる。実際のテストによれば、１つの４．５ｃｍ×３ｃｍ×２．５ｃｍのリチウム電池は、マイクロモータが２００時間以上の運転・輸液をサポートすることができる。
【００４０】
クイックラッチ技術：
使い捨てダイヤフラム輸液装置とホスト機との接続について、迅速かつ安全・安心な接続が求められている。図３からわかるように、ダイヤフラムの３ピンプラグは、クイックラッチに挿入され、６０°回転され、プラグキャップがディスク型ばね片によって円形セミブラインド孔に押し入れられ且つ弾性圧迫される。ダイヤフラムの３ピンプラグは、その中に堅固にロックされ、下方への押圧及び左方への回転という２つの動作のみで外れることが可能である。当該装置の便利性及び装着の完全・堅牢性は、普通のクイックラッチ機構とは比較にならない。上記の革新的な技術の応用を通じて、パワー転換システムが簡単で軽便になり、且つ安全で信頼性が高くなる。
【００４１】
輸液温度自動制御システム：
輸液の快適度を向上させ、寒い環境及び暖房のない環境における輸液によって患者に与えた刺激及び要害反応を解決するために、携帯式輸液装置には、輸液温度自動制御システ
ムが配置されている。図３に示すように、当該システムは、小型薬液ヒータ、小型温度制御器及び加熱電源から構成されている。薬液ヒータは、ジュラルミンで加工された仏塔形螺旋溝ヒータであり、形はかたつむりに似ており、輸液チューブの末端の０．４〜０．６ｍの部分が溝の中に巻き付いており、溝の底は直流電源と接続されたソフト抵抗片を有する、輸液チューブの末端の、溝の外側箇所には、小型温度センサが挿入されている。小型温度コントローラの加熱温度は、１５°Ｃ〜２５°Ｃ内に制御されている。温度が１５°Ｃより低いときに、ヒータが作動し、温度が２５°Ｃに達すると、ヒータが自動切断して加熱を停止する。当該システムは、独立したシステムであり、携帯式多機能輸液装置を妨害したり携帯式多機能輸液装置の機能に影響を及ぼしたりすることはない。
【符号の説明】
【００４２】
１  スタンド
２  ダンパ
３  結びバンド
４  液体ボトル
５  嵌合部
６  調節ホルダ
７  流量表示窓
８  速度選択ポインタ
９  輸液速度文字盤
１０  回転ハンドル
１１  制御器
１２  制御器入力キーボード
１３  三日月構造スタンド
１４  定方向流出インタフェース
１５  気体識別器
１６  ダイヤフラム
１７  定方向流入インタフェース
１８  装着穴
１９  トランスミッタ
２０  人体静脈
２１  薬液精密濾過器
２２  薬液加熱制御システム
２３  温度コントローラ
２４  加熱電源
２５  仏塔型ヒータ
２６  温度センサ
２７  弾性膜
２８  周波数変調システム
２９  電位センサ
３０  小型モータ電源
３１  伝達システム
３２  小型直流モータ
３３  減速装置
３４  スパイラル矯正装置
３５  距離センサ
３６  往復膜支持機
３７  長尺扁平体
３８  台形移行部
３９  円錐台
４０  ルート調整機構
４１  クイックチャック
４２  音・光警報表示窓
４３  ２段軸
４４  板状ばね
４５  スライドカバー
４６  ボトルスタンド
【図２】
2016514580.tif 000005
【図３】
2016514580.tif 000006
【図４】
2016514580.tif 000007
【図１】
2016514580.tif 000008
【図５】
2016514580.tif 000009
【図６】
2016514580.tif 000010
【手続補正書】
【提出日】平成27年12月3日(2015.12.3)
【手続補正１】
【補正対象書類名】明細書
【補正対象項目名】００２８
【補正方法】変更
【補正の内容】
【００２８】
本発明によって、電気エネルギー→機械エネルギー→輸液パワーの転換プロセス、エネルギーの機構伝達プロセス及び機構調整プロセスにおけるハードウェアプログラムのメカニズムが実現される。その主な機能・作用は下記通りである。回転ハンドル１０のポインタが０°の位置を指す際に、往復膜支持機３６の円錐台３９と弾性膜２７とは０°の距離で接触している。回転ハンドル１０のポインタが３０°の位置に調整された際に、往復膜支持機３６の台形双頭ネジ山が回転しながら前進し、円錐台３９の接触ヘッドによってダイヤフラム１６の弾性膜２７が押し付けられて、６×３０°／３６０°ｍｍの高さの円弧が形成され、同時に往復膜支持機３６の長尺扁平体３７にセットされた小型ポテンショメータも３０°回転し、対応する電位差信号を発信する。
【手続補正２】
【補正対象書類名】明細書
【補正対象項目名】００３１
【補正方法】変更
【補正の内容】
【００３１】
【数１】
2016514580.tif 000011
【手続補正３】
【補正対象書類名】明細書
【補正対象項目名】００３５
【補正方法】変更
【補正の内容】
【００３５】
モータ負荷（注入抵抗に打ち勝つ。）が安定した状態となり、輸液の速度も安定する。ポテンショメータのモータ回転速度の調節は、有効な調節範囲を有し、この範囲の大きさによって輸液の精度が決められる。例えば、２５°〜３２５°の範囲であると、調整され
る精度は：１°を調整されるごとに選択された５ｍｌ／分の流量の精度は、５ｍｌ／分×１／３００＝０．０１６６ｍｌである。即ち、０．３３％である。それによって、輸液速度に対する精確な制御が実現される。流量と周波数との変化関係は、ｙ＝ａｘの関係（つまり、Ｑ＝ＱH1×ＨＺ、及び、下記数式）で表される。ここで、ＨＺは選択された周波数（回／分）、ＱH1は輸液速度（ｍｌ／分）、ＱHは固有流量である。
【数２】
2016514580.tif 000012
【手続補正４】
【補正対象書類名】明細書
【補正対象項目名】００４２
【補正方法】変更
【補正の内容】
【００４２】
１  スタンド
２  ダンパ
３  結びバンド
４  液体ボトル
５  嵌合部
６  調節ホルダ
７  流量表示窓
８  速度選択ポインタ
９  輸液速度文字盤
１０  回転ハンドル
１１  制御器
１２  制御器パラメータ入力キーボード
１３  三日月構造スタンド
１４  定方向流出インタフェース
１５  気体識別器
１６  ダイヤフラム
１７  定方向流入インタフェース
１８  装着穴
１９  トランスミッタ
２０  注射針
２１  薬液精密濾過器
２２  薬液加熱制御システム
２３  温度コントローラ
２４  加熱電源
２５  仏塔型ヒータ
２６  温度センサ
２７  弾性膜
２８  周波数変調システム
２９  電位センサ
３０  小型モータ電源
３１  伝達システム
３２  小型直流モータ
３３  減速装置
３４  スパイラル矯正装置
３５  距離センサ
３６  往復膜支持機
３７  長尺扁平体
３８  台形移行部
３９  円錐台
４０  ルート調整機構
４１  クイックチャック
４２  音・光警報表示窓
４３  ２段軸
４４  板状ばね
４５  スライドカバー
４６  ボトルスタンド 
【国際調査報告】
2016514580.tif 000013
2016514580.tif 000014
2016514580.tif 000015
2016514580.tif 000016
2016514580.tif 000017
2016514580.tif 000018
2016514580.tif 000019
2016514580.tif 000020
2016514580.tif 000021